【事件の表示】
　特許第６４９０６１４号発明「インドキシル硫酸の測定方法」の特許異議申立事件について、次のとおり決定する。
【結　論】
　特許第６４９０６１４号の明細書、特許請求の範囲を訂正請求書に添付された訂正特許請求の範囲のとおり、訂正後の請求項〔１−５〕について訂正することを認める。
　特許第６４９０６１４号の請求項１ないし４に係る特許を維持する。
　特許第６４９０６１４号の請求項５に係る特許についての特許異議の申立てを却下する。
【理　由】
第１　手続の経緯 
　特許第６４９０６１４号の請求項１〜５に係る特許についての出願は、平成２８年３月１７日（優先権主張　平成２７年３月３０日）の出願であって、平成３１年３月８日にその特許権の設定登録がされ、同年３月２７日に特許掲載公報が発行されたところ、特許掲載公報の発行の日から６月以内である令和元年９月２６日に特許異議申立人松本晶子（以下「申立人」という。）により特許異議の申立てがされ、同年１１月６日付けで取消理由が通知され、令和２年１月８日付けで意見書の提出及び訂正請求がされ、同年２月２０日付けで、申立人から意見書が提出されたものである。 
第２　訂正の適否についての判断 
１　訂正の内容 
　令和２年１月８日付けの訂正請求（以下「本件訂正請求」という。また、その訂正を「本件訂正」という。）は、特許請求の範囲を訂正請求書に添付された訂正特許請求の範囲のとおり、訂正後の請求項１ないし５について訂正することを求めるものであって、以下の訂正事項１ないし訂正事項５からなる（なお、下線は、請求人が付したものである。）。
（１）訂正事項１
　特許請求の範囲の請求項１に「尿を測定試料とするインドキシル硫酸の測定方法であって、」と記載されているのを、「尿
の希釈物
（２）訂正事項２
　特許請求の範囲の請求項１に「前記測定試料が尿そのもの又は」と記載されているのを、「前記測定試料
が
（３）訂正事項３
　特許請求の範囲の請求項１に「尿の希釈物」と記載されているのを、「尿の
１００倍以上の
（４）訂正事項４
　特許請求の範囲の請求項１に「励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出する」と記載されているのを、「
前記希釈物のインドキシル硫酸の濃度が１〜５．３μＭの範囲内であり、
（５）訂正事項５
　
特許請求の範囲の請求項５を削除
２　訂正の目的、新規事項の有無、特許請求の範囲の拡張・変更の存否及び一群の請求項 
（１）訂正事項１について 
ア　訂正の目的の適否について 
　訂正前の請求項１に係る発明では「尿を測定試料とするインドキシル硫酸の測定方法であって、」と記載しており、また次行にて「前記測定試料が尿そのもの又は尿の希釈物であり、」と記載していることから、「尿」が「尿そのもの」と「尿の希釈物」の両方を含むものとして記載している。
　これに対して、訂正後の請求項１に係る発明では、訂正前の請求項１に択一的に記載されていた「尿そのもの」を削除し、「尿の希釈物」であることを特定して特許請求の範囲を減縮しようとするものであるから、訂正事項１は、特許法第１２０条の５第２項ただし書第１号に掲げる特許請求の範囲の減縮を目的とするものである。
　同様に、訂正後の請求項２〜４は、訂正後の請求項１に記載された「尿
の希釈物
イ　新規事項の有無について
　訂正事項１は、上記アのとおり、訂正前の請求項１に択一的に記載されていた「尿そのもの」を削除したことで、訂正前の請求項１の記載を減縮するものであるから、願書に添付した明細書、特許請求の範囲又は図面に記載した事項の範囲内の訂正であり、特許法第１２０条の５第９項で準用する特許法第１２６条第５項に適合するものである。
ウ　特許請求の範囲の拡張・変更の存否について
　訂正事項１は、上記アのとおり、訂正前の請求項１に択一的に記載されていた「尿そのもの」を削除したものであり、特許請求の範囲を拡張するものでなく、当該訂正により訂正前の請求項１に係る発明のカテゴリーや対象、目的を変更するものではない。
　また訂正後の請求項１を引用する訂正後の請求項２〜４についても、訂正前の請求項１に択一的に記載されていた「尿そのもの」を削除したものであり、特許請求の範囲を拡張するものでなく、当該訂正により訂正前の請求項２〜４に係る発明のカテゴリーや対象、目的を変更するものではない。
　したがって、訂正事項１は、実質上特許請求の範囲を拡張し、又は変更するものには該当せず、特許法第１２０条の５第９項で準用する特許法第１２６条第６項に適合するものである。
（２）訂正事項２について
ア　訂正の目的の適否について 
　訂正前の請求項１に係る発明では「前記測定試料が尿そのもの又は尿の希釈物であり、」としていることから、測定試料である「尿」が「尿そのもの」と「尿の希釈物」の両方を含むものとして記載している。
　これに対して、訂正後の請求項１に係る発明では、訂正前の請求項１に択一的に記載されていた「尿そのもの」を削除して特許請求の範囲を減縮しようとするものであるから、訂正事項２は、特許法第１２０条の５第２項ただし書第１号に掲げる特許請求の範囲の減縮を目的とするものである。
　同様に、訂正後の請求項２〜４は、訂正後の請求項１に記載された「前記測定試料
が
イ　新規事項の有無について
　訂正事項２は、上記アのとおり、訂正前の請求項１に択一的に記載されていた「尿そのもの」を削除したことで、訂正前の請求項１の記載を減縮するものであるから、願書に添付した明細書、特許請求の範囲又は図面に記載した事項の範囲内の訂正であり、特許法第１２０条の５第９項で準用する特許法第１２６条第５項に適合するものである。
ウ　特許請求の範囲の拡張・変更の存否について
　訂正事項２は、上記アのとおり、訂正前の請求項１に択一的に記載されていた「尿そのもの」を削除したものであり、特許請求の範囲を拡張するものでなく、当該訂正により訂正前の請求項１に係る発明のカテゴリーや対象、目的を変更するものではない。
　また訂正後の請求項１を引用する訂正後の請求項２〜４についても、訂正前の請求項１に択一的に記載されていた「尿そのもの」を削除したものであり、特許請求の範囲を拡張するものでなく、当該訂正により訂正前の請求項２〜４に係る発明のカテゴリーや対象、目的を変更するものではない。
　したがって、訂正事項２は、実質上特許請求の範囲を拡張し、又は変更するものには該当せず、特許法第１２０条の５第９項で準用する特許法第１２６条第６項に適合するものである。
（３）訂正事項３について
ア　訂正の目的の適否について 
　訂正前の請求項１に係る発明では「尿の希釈物」としており、希釈倍率については特定していない。
　これに対して、訂正後の請求項１に係る発明では、「尿の
１００倍以上の
　同様に、訂正後の請求項２〜４は、訂正後の請求項１に記載された「尿の
１００倍以上の
イ　新規事項の有無について
　本件特許明細書の段落【００４４】には「各尿検体をＰＢＳで１００倍に希釈し、蛍光測定用の検体（測定試料）を調製した。」と記載されており、段落【００４６】には「各検体の１００倍希釈液の蛍光強度を並行して測定し、検量線から各測定試料のインドキシル硫酸濃度を算出した。」と記載されている。これらの記載から、訂正事項３は、願書に添付した明細書、特許請求の範囲又は図面に記載した事項の範囲内の訂正であり、特許法第１２０条の５第９項で準用する特許法第１２６条第５項に適合するものである。
ウ　特許請求の範囲の拡張・変更の存否について
　訂正事項３は、尿の希釈倍率を特定して「尿の
１００倍以上の
　また訂正後の請求項１を引用する訂正後の請求項２〜４についても、尿の希釈倍率を特定して「尿の
１００倍以上の
　したがって、訂正事項３は、実質上特許請求の範囲を拡張し、又は変更するものには該当せず、特許法第１２０条の５第９項で準用する特許法第１２６条第６項に適合するものである。
（４）訂正事項４について
ア　訂正の目的の適否について 
　訂正前の請求項１に係る発明では「励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出する」と記載されており、測定試料のインドキシル硫酸の濃度については特定していない。
　これに対して、訂正後の請求項１に係る発明では、「
前記希釈物のインドキシル硫酸の濃度が１〜５．３μＭの範囲内であり、
　同様に、訂正後の請求項２〜４は、訂正後の請求項１に記載された「
前記希釈物のインドキシル硫酸の濃度が１〜５．３μＭの範囲内であり、
イ　新規事項の有無について
　本件特許明細書の段落【００４８】に「図４に励起波長２８０ｎｍ、発光波長４００ｎｍの場合における直接蛍光法とＨＰＬＣ法による測定値との関係を示す。図４の縦軸は直接蛍光法（μＭ）、横軸はＨＰＬＣ法によるインドキシル硫酸濃度の測定値（μＭ）である。」と記載されている。さらに下記「第３　２（２）ア（ウ）」で摘記する図４のグラフにおける最も左側（低濃度側）のプロット（◆）の縦軸から１００μＭの値が読み取れる。また、最も右側（高濃度側）のプロットの縦軸から５３０μＭの値が読み取れる。当該値は尿の１００倍希釈物を用いた測定値を１００倍して得られた値であるから、１００倍希釈物の濃度範囲は各測定値を１００で除した値となり、１〜５．３μＭとなる。これらの記載から、訂正事項４は、願書に添付した明細書、特許請求の範囲又は図面に記載した事項の範囲内の訂正であり、特許法第１２０条の５第９項で準用する特許法第１２６条第５項に適合するものである。
ウ　特許請求の範囲の拡張・変更の存否について
　訂正事項４は、測定試料のインドキシル硫酸の濃度範囲を特定して「
前記希釈物のインドキシル硫酸の濃度が１〜５．３μＭの範囲内であり、
　また、訂正後の請求項１を引用する訂正後の請求項２〜４についても、測定試料のインドキシル硫酸の濃度範囲を特定して「
前記希釈物のインドキシル硫酸の濃度が１〜５．３μＭの範囲内であり、
　したがって、訂正事項４は、実質上特許請求の範囲を拡張し、又は変更するものには該当せず、特許法第１２０条の５第９項で準用する特許法第１２６条第６項に適合するものである。
（５）訂正事項５について
ア　訂正の目的の適否について 
　訂正事項５は、請求項５を削除するというものであるから、特許法第１２０条の５第２項ただし書第１号に掲げる特許請求の範囲の減縮を目的とするものである。
イ　新規事項の有無について
　訂正事項５は、請求項５を削除するというものであるから、願書に添付した明細書、特許請求の範囲又は図面に記載した事項の範囲内の訂正であり、特許法第１２０条の５第９項で準用する特許法第１２６条第５項に適合するものである。
ウ　特許請求の範囲の拡張・変更の存否について
　訂正事項５は、請求項５を削除するというものであるから、実質上特許請求の範囲を拡張し、又は変更するものには該当せず、特許法第１２０条の５第９項で準用する特許法第１２６条第６項に適合するものである。
（６）一群の請求項について
　訂正前の請求項１〜５について、請求項２〜５はそれぞれ請求項１を直接的又は間接的に引用しているものであって、訂正事項１〜５によって記載が訂正される請求項１に連動して訂正されるものである。したがって、訂正前の請求項１〜５に対応する訂正後の請求項１〜５は、特許法第１２０条の５第４項に規定する一群の請求項である。
（７）独立特許要件について
　本件においては、訂正前の全ての請求項１〜５について特許異議の申立てがされているので、訂正事項１〜５に関して、特許法第１２０条の５第９項で読み替えて準用する同法第１２６条第７項に規定される独立特許要件は課されない。
３　訂正の適否についてのまとめ
　以上のとおりであるから、本件訂正請求による訂正は、特許法第１２０条の５第２項ただし書第１号に掲げる事項を目的とするものに該当し、かつ、同条第４項の規定、並びに、同条第９項で準用する同法第１２６条第５項から第６項までの規定に適合するので、本件訂正後の請求項〔１〜５〕について訂正を認める。
　なお、本件訂正を認めることについては、申立人は令和２年２月２０日付け意見書において異論を述べていない。
第３　特許異議申立てについて
１　本件特許発明
　上記第２のとおり、本件訂正の訂正事項１ないし５による訂正を認めるから、本件特許の請求項１ないし５に係る発明（以下順に「本件特許発明１」ないし「本件特許発明５」という。）は、本件訂正により訂正された訂正特許請求の範囲の請求項１ないし５に記載されている事項により特定されるとおりのものであり、その本件特許発明１ないし５は以下に記載したとおりのものである。なお、下線部は、訂正箇所を示す。
「【請求項１】
　尿
の希釈物
　前記測定試料
が尿
１００倍以上の
　
前記希釈物のインドキシル硫酸の濃度が１〜５．３μＭの範囲内であり、
　励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出することを特徴とするインドキシル硫酸の測定方法。
　【請求項２】
　前記発光波長を３８０〜４２０ｎｍの範囲から選択することを特徴とする請求項１に記載のインドキシル硫酸の測定方法。
　【請求項３】
　前記励起波長を２７０〜２９０ｎｍの範囲から選択し、前記発光波長を３９０〜４１０ｎｍの範囲から選択することを特徴とする請求項１又は２に記載のインドキシル硫酸の測定方法。
　【請求項４】
　前記励起波長を２７０〜２９０ｎｍの範囲から選択し、前記発光波長を４００〜４２０ｎｍの範囲から選択することを特徴とする請求項１又は２に記載のインドキシル硫酸の測定方法。
　【請求項５】（削除）」
２　取消理由通知に記載した取消理由について
（１）取消理由の概要
　訂正前の請求項１ないし５に係る特許に対して、当審が特許権者に通知した取消理由の概要は以下のとおりである。
理由１（サポート要件） 
　請求項１〜５に係る特許は、特許請求の範囲の記載が下記の点で不備のため、特許法第３６条第６項第１号に規定する要件を満たしていない特許出願に対してされたものである。
理由２（実施可能要件） 
　請求項１〜５に係る特許は、発明の詳細な説明の記載が下記の点で不備のため、特許法第３６条第４項第１号に規定する要件を満たしていない特許出願に対してされたものである。
　　　　　　　　　　　　　　　　　　記 
ア　理由１（サポート要件）について 
（ア）尿の希釈の観点における検討
　本件特許明細書には、実際に尿を測定対象としてインドキシル硫酸の濃度を測定したとされるのは、１００倍希釈した尿であり、インドキシル硫酸の濃度の測定範囲は、約１μＭから約５．３μＭである。
　夾雑物を多く含む尿と精製されたインドキシル硫酸を水に溶解したものを同一視することはできないことを考慮すると、希釈されていない尿は、夾雑物を多く含むことから、１００倍希釈尿のインドキシル硫酸濃度が約１μＭから約５．３μＭが測定できたからといって、希釈されていない尿、１００倍未満の希釈された尿においてインドキシル硫酸濃度が約１μＭから約５．３μＭの範囲を測定し得るものかどうかは不明である。
（イ）インドキシル硫酸の濃度の観点における検討
　本件特許明細書に添付した図４に、励起波長２８０ｎｍ、発光波長４００ｎｍの場合における直接蛍光法とＨＰＬＣ法による測定値との関係は、相関係数が０．９８であることが示されているが、インドキシル硫酸の濃度が約１μＭから約５．３μＭ以外の範囲については示されていないことから、インドキシル硫酸の濃度の程度によって検出される蛍光の強度は必ずしも比例の関係にあるものではないことを踏まえると、１００倍希釈した尿であっても、インドキシル硫酸の濃度が約１μＭから約５．３μＭ以外の範囲について、高い相関係数が得られ、測定可能であるかは確認されているとはいえない。
（ウ）検量線の観点における検討
　本件特許明細書に記載された検量線は、精製されたインドキシル硫酸を水に溶解して、濃度１００μＭ又は１０μＭのインドキシル硫酸標準原液を作製し、この標準原液を段階希釈したものを用いて作成されており、実際の尿を用いたものではない。
　夾雑物を多く含む尿と精製されたインドキシル硫酸を水に溶解したものを同一視することはできないことを考慮すると（例えば、尿に含まれるアンモニアは、インドキシル硫酸の蛍光強度に影響を与えることが下記参考文献１に示されている。）、本件特許明細書に記載された検量線を用いて、一部の濃度範囲において相関が見られたからといって、希釈の程度、インドキシル硫酸の濃度の測定範囲の特定がない本件特許発明１まで、拡張し得るのか不明である。
（エ）してみると、本件特許発明１〜５は、本件特許明細書の発明の詳細な説明に開示された範囲を超えるものである。  
イ　理由２（実施可能要件）について 
　本件特許発明１−４は、測定試料は、「尿そのもの又は尿の希釈物」であって、希釈の程度は特定されておらず、インドキシル硫酸の濃度の測定範囲の特定はないところ、本件特許明細書の発明の詳細な説明には、１００倍希釈尿のインドキシル硫酸濃度が約１μＭから約５．３μＭが測定することが記載されているが、それ以外の条件において、測定可能であるか不明である。
　よって、発明の詳細な説明の記載は、本件特許発明１〜４を実施することができる程度に明確かつ十分に記載したものではない。 
　本件特許発明５は、インドキシル硫酸濃度が０．２〜２５μＭであることが特定されている。しかしながら、本件特許明細書の発明の詳細な説明には、１００倍希釈尿のインドキシル硫酸濃度が約１μＭから約５．３μＭが測定することが記載されていだけで、それ以外の条件において、測定可能であるか不明である。
　よって、発明の詳細な説明の記載は、本件特許発明５を実施することができる程度に明確かつ十分に記載したものではない。 
（２）取消理由通知に記載した取消理由について当審の判断
ア　本件特許明細書に記載された事項について 
（ア）発明が解決しようとする課題について、以下の記載がある。
「【発明が解決しようとする課題】  
【０００７】
　しかし、上記した従来技術のインドキシル硫酸の測定方法では、検体の抽出操作や前処理等が必要であり、かつ操作が煩雑である等の問題がある。そこで本発明は、より迅速かつ簡便に体液中インドキシル硫酸を測定できる技術を提供することを目的とする。」
（イ）実施例について、以下の記載がある。　 
「【００４１】
　以下に、実施例をもって本発明をさらに具体的に説明するが、本発明はこれらの実施例に限定されるものではない。
【実施例】
　【００４２】
　ボランティア８名から採取した尿検体を用いて、以下の実験を行った。
　【００４３】
（１）ＨＰＬＣ法によるインドキシル硫酸測定
　ＨＰＬＣ法（Clin Chem. 1988 Nov;34(11):2264-7.Accumulation of indoxyl sulfate, an inhibitor of drug-binding, in uremic serumas demonstrated by internal-surface reversed-phase liquid chromatography. NiwaT1, Takeda N, Tatematsu A, Maeda K）にて、各検体のインドキシル硫酸濃度を測定した。
　【００４４】
（２）本発明の方法による蛍光測定（直接蛍光法）
　各尿検体をＰＢＳで１００倍に希釈し、蛍光測定用の検体（測定試料）を調製した。各測定試料２００μＬを前処理等することなくそのまま蛍光測定用マイクロプレート（Greinerbio-one、762077）の各穴に入れ、マイクロプレートリーダー（Spectra MaxGemini EM; Molecular Devices, Sunnyvale, CA）にて蛍光強度を測定した。励起波長を２８０ｎｍとし、発光波長（蛍光波長）３２０ｎｍ〜５００ｎｍの範囲でスキャンした。図１に各測定試料の蛍光パターンを示す。いずれの測定試料でも発光波長３９０ｎｍに蛍光強度のピークがあった。
　【００４５】
（３）測定範囲の検討
　精製されたインドキシル硫酸（Aldrich社）を水に溶解して、濃度１００μＭのインドキシル硫酸標準原液を作製した。この標準原液を１／２倍ずつ段階希釈して、０．１９６μＭ〜１００μＭのインドキシル硫酸標準溶液を作製した。この標準溶液を上記（２）と同様の直接蛍光法（励起波長２８０ｎｍ、発光波長４００ｎｍ）に供して蛍光強度を測定し、インドキシル硫酸濃度と蛍光強度との関係をグラフ化した。その結果、０．１９６μＭ〜１００μＭの範囲でインドキシル硫酸濃度と蛍光強度との間に相関関係があり、検量線を作成することができた。特に、０．１９６μＭ〜２５μＭの範囲において、高い直線性が得られた（図２）。
　【００４６】
（４）直接蛍光法とＨＰＬＣ法との相関
　精製されたインドキシル硫酸（Aldrich社）を水に溶解して、濃度１０μＭのインドキシル硫酸標準原液を作製した。この標準原液を１／２倍ずつ段階希釈して、０．１５６μＭ〜１０μＭのインドキシル硫酸標準溶液を作製した。この標準溶液を上記（２）と同様の直接蛍光法（励起波長２８０ｎｍ、発光波長３２０ｎｍ〜５００ｎｍ）に供して蛍光強度を測定し、得られた蛍光強度から検量線を作成した。図３に、励起波長２８０ｎｍ、発光波長４００ｎｍの場合の検量線を示す。
　各検体の１００倍希釈液の蛍光強度を並行して測定し、検量線から各測定試料のインドキシル硫酸濃度を算出した。得られたインドキシル硫酸濃度値と、上記（１）で得られたＨＰＬＣ法による測定値とを比較した。得られた蛍光強度の値について、発光波長ごとに直接蛍光法とＨＰＬＣ法との相関係数を、EXCELソフトウェア（Microsoft社）のCORREL関数を用いて算出した。
　【００４７】
　結果を表１に示す。表１に示すように、発光波長が３３０ｎｍ〜５００ｎｍの範囲で、０．８以上の相関係数が得られた。このうち、発光波長が３８０ｎｍ〜４２０ｎｍの範囲で０．９７以上の特に高い相関係数が得られ、４１０ｎｍと４２０ｎｍでＨＰＬＣ法と最も近似した値が得られた。
　【００４８】
　図４に励起波長２８０ｎｍ、発光波長４００ｎｍの場合における直接蛍光法とＨＰＬＣ法による測定値との関係を示す。図４の縦軸は直接蛍光法（μＭ）、横軸はＨＰＬＣ法によるインドキシル硫酸濃度の測定値（μＭ）である。
　【００４９】
　　【表１】
　【００５０】
　以上のように、尿検体を特に前処理することなくそのまま蛍光測定することによって、尿中のインドキシル硫酸濃度を正確に測定できることが示された。」
（ウ）図面１ないし４として、以下の記載がある。
イ　本件特許明細書の記載から把握される事項  
　上記アの記載を総合すると、以下の事項が把握される。  
（ア）本件特許発明は、従来技術のインドキシル硫酸の測定方法では、検体の抽出操作や前処理等が必要であり、かつ操作が煩雑である等の問題があるところ、より迅速かつ簡便に体液中インドキシル硫酸を測定できる技術を提供することを目的としていること。
（イ）本件特許明細書に記載されている実施例で測定に供された測定試料は、ボランティア８名から採取した尿検体を１００倍希釈液（【００４２】、【００４４】、【００４６】）であること。
（ウ）濃度１００μＭのインドキシル硫酸標準原液を作製し段階希釈して、０．１９６μＭ〜１００μＭのインドキシル硫酸標準溶液を作製し、この標準溶液を励起波長２８０ｎｍ、発光波長４００ｎｍに供して蛍光強度を測定し、インドキシル硫酸濃度と蛍光強度との関係をグラフ化した結果、０．１９６μＭ〜１００μＭの範囲でインドキシル硫酸濃度と蛍光強度との間に相関関係があり、検量線を作成することができ、特に、０．１９６μＭ〜２５μＭの範囲において、高い直線性が得られた（図２）こと（【００４５】）。ただし、図２には、２５μＭ〜１００μＭの範囲のデータは記載されておらず、インドキシル硫酸濃度と蛍光強度との間に相関関係があることは確認できない。
（エ）濃度１０μＭのインドキシル硫酸標準原液を作製し段階希釈して、０．１５６μＭ〜１０μＭのインドキシル硫酸標準溶液を作製し、この標準溶液を励起波長２８０ｎｍ、発光波長３２０〜５００ｎｍに供して蛍光強度を測定し、検量線を作成したこと（【００４６】）。
（オ）図３は、励起波長２８０ｎｍ、発光波長４００ｎｍの場合の検量線であること（【００４６】）。なお、インドキシル硫酸標準溶液が１０μＭより大きい濃度の検量線の記載はない。
（カ）検量線は、精製されたインドキシル硫酸を水に溶解して、濃度１００μＭ又は１０μＭのインドキシル硫酸標準原液を作製し、この標準原液を段階希釈したものを用いて作成されており、実際の尿を用いたものではないこと。
（キ）図４に示された、励起波長２８０ｎｍ、発光波長４００ｎｍの場合における直接蛍光法とＨＰＬＣ法による測定値との関係は、相関係数が０．９８であり、ボランティア８名から採取した尿検体のインドキシル硫酸の濃度範囲は、ＨＰＬＣ法で約３０μＭから約５３０μＭに渡り、直接蛍光法では、約１００μＭから約５３０μＭに渡ること。
　そして、検体の尿は１００倍希釈であることを考慮すると、直接蛍光法で実際に測定したインドキシル硫酸の濃度とされる範囲は、約１μＭから約５．３μＭであること。
　　
ウ　理由１（サポート要件）についての判断
　本件特許発明１は、訂正により、
「尿
の希釈物
　前記測定試料
が尿
１００倍以上の
　
前記希釈物のインドキシル硫酸の濃度が１〜５．３μＭの範囲内であり、
　励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出することを特徴とするインドキシル硫酸の測定方法。」となった（下線は、訂正により限定された構成を示すものであり、当審が付与した。）。
　そして、この訂正により、上記取消理由の「理由１（サポート要件）について（ア）尿の希釈の観点における検討」で、測定し得るかどうかは不明であると指摘した「希釈されてない尿、１００倍未満の希釈された尿」は除かれ、「理由１（サポート要件）について（イ）インドキシル硫酸の濃度の観点における検討」で「測定可能か確認されていない」としたインドキシル硫酸の濃度の測定範囲が除かれ、「理由１（サポート要件）について（ウ）検量線の観点における検討」で不明であると指摘した「希釈の程度、インドキシル硫酸の濃度の測定範囲」が特定され、上記本件特許発明１は、上記イに記載した本件特許明細書の記載から把握される事項（特に、（キ）参照。）の範囲内のものとなった。
　また、本件特許発明２〜４は、本件特許発明１をさらに限定するものである。
　してみると、本件特許発明１〜４は、本件特許明細書の発明の詳細な説明に開示された範囲を超えるものとはいえず、訂正された特許請求の範囲の記載は、特許法第３６条第６項第１号の規定する要件を満たしていないとはいえない。
イ　理由２（実施可能要件）についての判断
　上記取消理由の「理由２（実施可能要件）について」で指摘した実施可能要件違反についての理由は、発明の詳細な説明の記載は、「希釈の程度」、「インドキシル硫酸の濃度の測定範囲」の特定がない本件特許発明１〜４を実施することができる程度に明確かつ十分に記載したものではないというものであった。
　これに対し、本件特許発明１は、訂正により、「希釈の程度」、「インドキシル硫酸の濃度の測定範囲」について、「測定試料
が尿
１００倍以上の
前記希釈物のインドキシル硫酸の濃度が１〜５．３μＭの範囲内
　また、本件特許発明２〜４は、本件特許発明１から、発光波長、励起波長を、発明の詳細な説明に記載されているより好ましい範囲にさらに限定するものである。よって、本件特許発明２〜４は、本件特許発明１と同様に、発明の詳細な説明の記載から当業者が実施することができる程度に明確かつ十分に記載された範囲のものである。
　してみると、発明の詳細な説明の記載は、特許法第３６条第４項第１号に規定する要件を満たしていないとはいえない。
ウ　申立人の意見について
　申立人は、令和２年２月２０日付けの意見書において、「図４において直接蛍光法によるＩＳ濃度（縦軸）とＨＰＬＣによるＩＳ濃度（横軸）において、実測値の対応関係があるといえるのは、両者の実測値が概ね一致する１６０μＭ以上でしかない。」「よって、当業者は、本件特許明細書の発明の詳細な説明から、本件特許発明１〜４は、本件特許発明の課題を解決できるとは認識することはできないと思料する。」（意見書第３，４頁「（２）理由１（ｃ−１）」参照。）、「理由１にも記載したように、測定試料である希釈物におけるインドキシル硫酸濃度が「１．６μＭ」未満のインドキシル硫酸濃度を算出できるとはいえず」（意見書第６頁「（３）理由２」参照。）と主張する。
　しかしながら、本件特許発明の課題は、本件特許明細書に「【発明が解決しようとする課題】【０００７】しかし、上記した従来技術のインドキシル硫酸の測定方法では、検体の抽出操作や前処理等が必要であり、かつ操作が煩雑である等の問題がある。そこで本発明は、より迅速かつ簡便に体液中インドキシル硫酸を測定できる技術を提供することを目的とする。」と記載されているように、「より迅速かつ簡便に体液中インドキシル硫酸を測定できる技術を提供すること」であり、厳密な正確さを課題とするものではない。
　ここで、上記「イ　本件特許明細書の記載から把握される事項」「（キ）」を再掲する。
「図４に示された、励起波長２８０ｎｍ、発光波長４００ｎｍの場合における直接蛍光法とＨＰＬＣ法による測定値との関係は、相関係数が０．９８であり、ボランティア８名から採取した尿検体のインドキシル硫酸の濃度範囲は、ＨＰＬＣ法で約３０μＭから約５３０μＭに渡り、直接蛍光法では、約１００μＭから約５３０μＭに渡ること。
　そして、検体の尿は１００倍希釈であることを考慮すると、直接蛍光法で実際に測定したインドキシル硫酸の濃度とされる範囲は、約１μＭから約５．３μＭであること。」
　上記相関係数は、低い濃度の測定値を含めたデータから算出されたものであり、かつ、一般に相関があるとされる高い値である。
　また、単に希釈という前処理と直接蛍光法という測定方法は、従来の測定方法に比べ「より迅速かつ簡便」であるといえる。
　してみると、厳密に正確であるとはいえないまでも、上記相関係数の高い値を踏まえれば、直接蛍光法とＨＰＬＣ法による測定値との関係から、低い濃度である約１μＭから約５．３μＭの濃度まで、インドキシル硫酸の濃度を直接蛍光法で「より迅速かつ簡便」に測定し得るといえる。
　したがって、本件特許明細書の発明の詳細な説明から、本件特許発明１〜４は、本件特許発明の課題を解決できるとは認識できないとはいえず、測定試料である希釈物におけるインドキシル硫酸濃度が「１．６μＭ」未満のインドキシル硫酸濃度を算出できないとはいえない。
３　取消理由通知において採用しなかった特許異議申し立て理由について
（１）新規性及び進歩性に関する取消理由について
　申立人は、下記の証拠を提出し、本件特許の請求項１ないし５に係る発明は、甲第１号証に記載された発明であって、特許法第２９条第１項第３号に該当するから、請求項１ないし５に係る特許は、特許法第２９条第１項の規定に違反してされたものであると主張している。また、本件特許の請求項１ないし５に係る発明は、甲第１号証に記載された発明に基づいて当業者が容易に発明をすることができたものであり、請求項１ないし５に係る特許は、特許法第２９条第２項の規定に違反してされたものであると主張している。
　　　　　　　　　　　　　　　記
甲第１号証の１：Sandeep Menon Perinchery，The influence of indoxyl sulfate and ammoniumon the autofluorescence of human urine，Talanta 80 (2010) 1269-1276, ２００９年９月１８日オンライン利用可能（以下「甲１」という。）
甲第１号証の２：甲第１号証の１の部分翻訳文
甲第２号証の１：Distinctive autofluorescence of urine samples from　individuals with bacteruria compared with normals, Clinica Chimica Acta 401 (2009) 73-75, ２００８年１１月３０日オンライン利用可能（以下「甲２」という。）
甲第２号証の２：甲第２号証の１の部分翻訳文
甲第３号証の１：THE TOTAL FLUORESENCE OF HUMAN URINE, Analytica ChimicaActa, 198 (1987) 13-23, １９８７年（以下「甲３」という。）
甲第３号証の２：甲第３号証の１の部分翻訳文
（２）当審の判断
ア　本件特許発明１について
（ア）甲１の記載事項、及び、甲１に記載された発明
ａ　甲１の記載事項
　甲１には次の事項が記載されている。（なお、英文の後に当審訳を付す。また、下線は当審において付したものである。以下、同様。）
(甲１ａ)１２６９頁　文献タイトル
「The influenceof indoxyl sulfate and ammonium on the autofluorescence of human urine」
（ヒト尿の自己蛍光へのインドキシル硫酸及びアンモニウムの影響）
（甲１ｂ）１２６９頁　ＡＢＳＴＲＡＣＴ
「ABSTRACT
 Despite biological variability the spectral characteristics of undiluted human urine show relatively low autofluorescence at short UV (250-300 nm) excitation. However with dilution the fluorescence intensity remarkably increases. This paper examines the mechanisms behind this effect, by using excitation-emission matrices. Corrections for the inner filter effect were made for improved understanding of the spectral patterns. We focused on three major fluorophores (tryptophan, indoxyl sulfate and 5-hydroxyindole-3-acetate) that are excited at these wavelengths, and whose content in urine is strongly linked with various health conditions. Their fluorescence was studied both individually and in combinations. We also examined the effect of ammonium on the fluorescence of these major fluorophores individually and in combinations. Through these studies we have identified the leading effects that reduce the UV fluorescence, namely higher concentration of indoxyl sulfate producing the inner filter effect and concentration quenching and quenching of fluorophores by ammonium. This result will assist in broader utilisation of UV fluorescence in medical diagnostics.」
（要約
　
生物学的変動性にもかかわらず、希釈されていないヒト尿のスペクトル特性は、短いＵＶ（２５０〜３００ｎｍ）励起で比較的低い自己蛍光を示す。ただし、希釈すると蛍光強度が著しく増加する。この報告では、励起−発光マトリックスを使用して、この効果の背後にあるメカニズムを調べる。
（甲１ｃ）１２７０頁右欄８−１６行
「3. Results and discussion
3.1. Spectral characteristics of undiluted healthy human urine
 The literature on urine fluorescence is surprisingly scarce in spite of its easy availability [5,7] and it is therefore worthwhile to present some examples of urine spectral characteristics. Fluorescencecharacteristics of urine are variable and strongly sample-dependent. Two examples of excitation/emission matrices of undiluted healthy samples with different spectral features are shown in Fig.1a and b.」
（３．１．希釈していない健康なヒト尿のスペクトル特性
　尿の蛍光に関する文献は、入手が容易であるにもかかわらず驚くほど少なく、したがって、尿のスペクトル特性のいくつかの例を提示する価値がある。尿の蛍光特性はさまざまであり、サンプルに強く依存している。図１ａおよびｂに、異なるスペクトル特性を備えた
希釈されていない健康なサンプルの励起／発光マトリックス
（甲１ｄ）１２７０頁右欄下から７行ー下から３行
「3.2.Spectral characteristics of diluted healthy human urine
 The dilution of the urine profoundly affects the excitation/emission matrices. This is shown in Fig. 2 where we compared the EEMs for healthy human urine at various dilutions (1:30,1:300 and 1:1000).」 
（３．２．.希釈した健康なヒト尿のスペクトル特性
　尿の希釈は、励起／発光マトリックスに大きく影響する。これを図２に示す。ここでは、
さまざまな希釈度（１：３０，１：３００，１：１０００）で健康なヒト尿のＥＥＭ
（甲１ｅ）１２７１頁左欄下から５行ー１２７２右欄５行
「3.3.The inner filter effect
 The recorded fluorescence intensity may not be proportional to the fluorophore concentration due to a well known phenomenon known as the inner filter effect [10]. This can be due to high absorption of excitation light by the sample (primary inner filter effect) and by reabsorption of emitted light (secondary inner filter effect) [10]. Both can be completely accounted for and the spectra can be corrected. The correction for the primary inner filter effect can be done using the following equation 
−中略−
It is illustrative to see the influence of the inner filter effect in the EEM matrices of a selected component of urine, indoxyl sulfate (Fig. 4a-c), which produces dramatically varying spectral features as the dilution is varied. The EEM of indoxyl sulfate at physiological concentration of 300μmol shows a peak at 300 nm/380 nm.At 1:10 and 1:1000 dilutions, the peak excitation changes to 280nm but the emission maximum remains the same, i.e., 380 (±10) nm. This result shows that interpreting peaks in emission spectra or excitation/emission matrices needs to be done with a great deal of caution, as major shifts and spectral shape changes can be observed at higher fluorophore concentration, when the innerfilter effect is operational. 
（３．３．内部フィルター効果
　記録された蛍光強度は、内部フィルター効果よく知られた現象のため、フルオロフォア濃度に比例しない場合がある。これは、サンプルによる励起光の高吸収（一次内部フィルター効果）および放射光の再吸収（二次内部フィルター効果）による可能性がある。両方を完全に説明することで、スペクトルを修正できる。一次内部フィルター効果の補正は次の式を使用して行われる。
−中略−
　選択された尿成分である
インドキシル硫酸のＥＥＭ
　この結果は、内部フィルター効果が作用している場合、より高いフルオロフォア濃度で大きなシフトとスペクトル形状の変化が観察される可能性があるため、発光スペクトルまたは励起／発光マトリックスのピークの解釈には細心の注意を払う必要があることを示している。）
（甲１ｆ）１２７２右欄１５行ー末行
「3.4.Fluorescence quenching in urine
 With the inner filter effect fully accounted for, we are able to establish the extent of fluorescence quenching in this complex fluid. In order to capture the key features of all quenching processes, we focused on the most abundant group A fluorophores, indoxyl sulfate,tryptophan and 5-hydroxyindole-3-acetate [7]. The fluorescence of these three fluorophores was studied in isolation as well as in mixtures, including are presentative ‘simulated urine’ with selected urine components (indoxyl sulfate, tryptophan and 5-hydroxyindole-3-acetate) at typical physiological concentrations of 300, 50 and 24μmol, respectively. In order to establish the significance of the inner filter effect we also measured the absorbance of these three fluorophores (see Fig. 3 where a 1:10 dilution was used to obtain measurable values). As indicated earlier, the absorbance of indoxyl sulfate at physiological concentration is high, and the other two fluorophores did not show significant absorption in the examined region.」
（３．４．尿中の蛍光消光
　内部フィルター効果が完全に説明されることで、この複雑な液体の蛍光消光の程度を確認できる。すべての消光プロセスの主要な特徴を把握するために、最も豊富なグループＡフルオロフォアである、
インドキシル硫酸、トリプトファン、５−ヒドロキシインドールー３−アセテート
の蛍光を、独立して、並びに、インドキシル硫酸、トリプトファン及び５−ヒドロキシインドールー３−アセテートを生理学的濃度である３００，５０及び２４μｍｏｌでそれぞれ含むシミュレートされた尿を含む混合物として
吸光度も測定し
（甲１ｇ）１２７３頁図４及び図４の説明文
「Fig. 4. Excitation/emission matrices ofindoxyl sulfate. (a) Indoxyl sulfate at a concentration of 300μmol, (b) diluted 1:1000 in doubledistilled water, (c) diluted 1:10 in double distilled water, (d) 1:10 dilution corrected for the inner filter effect and (e) fluorescence intensity at 280nm/380nm versus concentration of indoxyl sulfate;(−■−) uncorrected data; (−○−) data corrected for the inner filter effect; note the different colour scale in (d).」
（図４．
インドキシル硫酸の励起／発光マトリックス
（甲１ｈ）１２７３頁左欄１−１０行
「 We measured the fluorescence of indoxyl sulfate as a function of dilution. Fig. 4e shows the peak fluorescence intensity at 280nm/380 nm, of indoxyl sulfate at various concentrations, before and after correcting for the inner filter effect. It shows that the fluorescence intensity at 300μmol concentration after correcting for the inner filter effect is lower than that of the 30μmol concentration, confirming that at physiological concentration (300μmol), indoxyl sulfate exhibits concentration quenching.Consequently, indoxyl sulfate in undiluted healthy human urine must also be subject to concentration quenching (self-quenching). 」
（インドキシル硫酸の蛍光を希釈の関数として測定した。図４ｅは、内部フィルター効果を補正する前後の、
さまざまな濃度のインドキシル硫酸の２８０ｎｍ／３８０ｎｍでのピーク蛍光強度
（甲１ｉ）１２７４頁図５及び図５の説明文　
「Fig. 5. Excitation/emission matrices of ‘simulated urine’ containing indoxyl sulfate(300μmol), tryptophan (50μmol) and 5-hydroxyindole-3-acetate (24μmol). (a) Undiluted; (b) diluted1:1000; (c) diluted 1:10; (d) diluted 1:10, with spectra corrected for innerfilter effect. Note the different colour scale in (d). All dilutions were made in double distilled water. (e) Fluorescence intensity at 280 nm/380nm of ‘simulated urine’ as a function of indoxyl sulfate concentration. (-■-) uncorrected data; (-○-) data corrected for the inner filter effect.」
（図５．
インドキシル硫酸（３００μｍｏｌ）、トリプトファン(５０μｍｏｌ)および５−ヒドロキシインドールー３−アセテート（２４μｍｏｌ）を含む「シミュレートされた尿」の励起／発光マトリックス
インドキシル硫酸濃度の関数としての「シミュレートされた尿」の２８０ｎｍ／３８０ｎｍでの蛍光強度
（甲１ｊ）１２７４頁左欄７行−１２７５頁左欄６行
「 We also studied the mutual interactions between the three key group A fluorophores (tryptophan, 5-hydroxyindole-3-acetate and indoxyl sulfate)at physiological concentrations and at various dilutions. In the presence of indoxyl sulfate, the fluorescence of tryptophan as well as 5-hydroxyindole-3-acetate showed reduced fluorescence (data not shown). The fluorescence intensity of the ‘simulated urine’ (a combination of these three fluorophores) was also very weak, with a peak at 310 nm/340nm (Fig. 5a-c). This is consistent with the spectral position for the 5-hydroxyindole-3- acetate peak (Supplemental material, Table 1), although in light of a very strong inner filter effect, an unambiguous assignment is not possible. Overall,the trend observed in Fig. 5 with dilution is similar to that in Fig. 4, i.e., a deformed peak at 1:10 dilution which, after correction for the innerfilter effect, reveals a pure indoxyl sulfate feature, more clearly observed at1:1000 dilution. This is an indication that indoxyl sulfate reduces the fluorescence of tryptophan and 5-hydroxyindole-3-acetate when these are in combination. Moreover, the maximum fluorescence intensity at physiological concentration of the ‘simulated urine’(Fig. 5a) is significantly lower than that of indoxyl sulfate alone (Fig. 4a), confirming energy transfer between these fluorophores and indoxyl sulfate. Similar to the case of pure indoxyl sulfate, the concentration quenching was confirmed by observing the concentration trends in peak fluorescence intensity of the ‘simulated urine’ before andafter correcting for inner filter effect (Fig. 5e).」  
（また、３つの重要なグループＡフルオロフォア（トリプトファン、５−ヒドロキシインドールー３−アセテート、インドキシル硫酸塩）間の生理的濃度およびさまざまな希釈度での相互作用を調べた。インドキシル硫酸の存在下で、トリプトファンおよび５−ヒドロキシインドールー３−アセテートの蛍光は、蛍光の減少を示した（データは示していない）。「シミュレートされた尿」（これらの３つのフルオロフォアの組み合わせ）の蛍光強度も非常に弱く、３１０ｎｍ／３４０ｎｍにピークがあった（図５ａ〜ｃ）。これは、５−ヒドロキシインドールー３−アセテートピークのスペクトル位置と一致している（補足資料、表１）。ただし、非常に強力な内部フィルター効果を考慮すると、明確な割り当ては不可能である。全体として、図５の希釈傾向は図４の傾向と類似している。つまり、１：１０希釈での変形ピークは、内部フィルター効果の補正後において、純粋なインドキシル硫酸塩の特徴を示しており、この特徴は１：１０００希釈ではより明確に観察される。これは、インドキシル硫酸がトリプトファンと５−ヒドロキシインドールー３−アセテートの組み合わせでこれらの蛍光を消光することを示している。さらに、「シミュレートされた尿」の生理学的濃度での最大蛍光強度（図５ａ）はインドキシル硫酸のみの場合（図４ａ）よりも著しく低く、これらのフルオロフォアとインドキシル硫酸間のエネルギー移動が確認された。純粋なインドキシル硫酸の場合と同様に、内部フィルター効果を補正する前後の「シミュレートされた尿」のピーク蛍光強度の濃度傾向を観察することにより、濃度消光が確認された（図５ｅ）。）
（甲１ｋ）１２７５頁図６の説明文
「Fig. 6. Effect of the addition of varying amounts of ammonium on the fluorescence spectra of ‘simulated urine’ containing tryptophan (50μmol), indoxyl sulfate (300μmol) and 5-hydroxyindole-3-acetate(24μmol), at 280nm excitation. (a) ‘Simulated urine’, without anyammonium, (b) ‘simulated urine’with 19mmol of ammonium and (c) ‘simulated urine’ with 19mmol of ammonium, diluted 1:10 with double distilled water.The inset shows the Stern-Volmer plot representing the fluorescence quenching of the ‘simulated urine’ by ammonium (fluorescence intensity at 380nm for excitation at 280nm as a function of ammonium concentration).」
（図６．
２８０ｎｍ励起でのトリプトファン(５０μｍｏｌ)、インドキシル硫酸（３００μｍｏｌ）および５−ヒドロキシインドールー３−アセテート（２４μｍｏｌ）を含む「シミュレートされた尿」の蛍光スペクトルに対するさまざまな量のアンモニウムの添加
（甲１ｌ）１２７５頁左欄下から８行−右欄３７行
「Our additional quenching studies, with each of the three fluorophores independently,showed that ammonium quenched the fluorescence of all the three examined fluorophores, tryptophan, indoxyl sulfate and 5-hydroxyindole-3-acetate (data not presented). Fig.6 also shows that dilution reduces the quenching of ‘simulated urine’ by ammonium, asexpected. However, the fact that in Fig. 6 the emission peak of ‘simulated urine’ does not change with dilution indicates that the concentration quenching is not due to reabsorption. This result is consistent with the increased intensity observed for the human urine at shorterUVregion with dilution(Fig. 2). Separately, we observed that ammonium also reduced the fluorescence of each of the three examined fluorophores in a concentration dependent way (data not shown). The overall conclusion from this study is that the key indole fluorophores in healthy human urine are quenched by the presence of ammonium. The mechanism behind this quenching is the sensitivity of indole fluorophores to the local environment [12,17-19]. The electron transfer from excited fluorophores to ammonium has been reported to be the cause of this quenching [15]. A survey of the literature indicates that the fluorescence properties of human urine are also affected by factors other than those examined here. For example, the pH can rebalance the fluorescence intensities of component fluorophores in favour of certain components such as, pterin and 4-pyridoxic acid [7,20,21]. Undiluted healthy human urinehas a pH between 5 and 7.5. As the pH is increased from 8 to 10, the quantum yield and mean life time of the indole fluorophores increases three-fold as compared with that at pH between 3 and 7.5 [12]. This means that the quantum yield of indole fluorophores in normal urine is suboptimal. Pterin and 4-pyridoxic acid contribute significantly to the fluorescence of undiluted healthy human urine at 300-450nm excitation. The 4- pyridoxicacid and pterins have high fluorescence intensity in an acidic medium (pH 4-7) as compared to a basic medium [22,23]. These fluorophores therefore exhibitoptimal fluorescence at the pH of undiluted normal human urine. This is in contrast to the indole fluorophores whose quantum yield is not at their peak in healthy human urine. The overall picture of fluorescence quenching in urine is also more complex. In addition to ammonium, urine contains other known quenchers. A 24 h sample of human urine contains hippuric acid, whose carboxyl group is able to quench the indole fluorophores in urine. All these effects additionally contribute to the main quenching mechanisms discussed here, i.e., the autoquenching of indoxyl sulfate,quenching of tryptophan and 5- hydroxyindole-3-acetate by indoxyl sulfate and the quenching of indole fluorophores by ammonium.」
「３つのフルオロフォアのそれぞれを個別に使用した追加の消光研究により、アンモニウムが、試験した３つのフルオロフォア、トリプトファン、インドキシル硫酸、および５−ヒドロキシインドールー３−アセテートすべての蛍光を消光したことが示された（データは表示されません）。また、図６は、予想通り、希釈によりアンモニウムによる「シミュレートされた尿」の消光が減少することを示した。しかし、図６で「シミュレートされた尿」の発光ピークが希釈によって変化しないという事実は、濃度消光が再吸収によるものではないことを示している。この結果は、希釈されたより短いＵＶ領域でヒト尿について観察された強度の増加と一致している（図２）。それとは別に、我々は、アンモニウムが濃度に依存した方法で、調べられた３つのフルオロフォアのそれぞれの蛍光も減少させることを観察した（データは示していません）。この研究からの全体的な結論は、健康な人間の尿中の重要なインドールフルオロフォアはアンモニウムの存在によって消光されるということです。この消光の背後にあるメカニズムは、ローカル環境に対するインドールフルオロフォアの感度である。励起されたフルオロフォアからアンモニウムへの電子移動が、この消光の原因であることが報告されている。
　文献の調査は、ヒト尿の蛍光特性もここで調べた以外の要因によって影響を受けることを示しています。たとえば、ｐＨは、プテリンや４−ピリドキシン酸などの特定の成分を優先して、成分フルオロフォアの蛍光強度のバランスを調整できる。希釈されていない健康なヒトの尿のｐＨは５〜７．５である。ｐＨが８から１０に増加すると、インドールフルオロフォアの量子収率と平均寿命は３から７．５の間のｐＨに比べて３倍に増加する。これは、通常の尿中のインドールフルオロフォアの量子収率が最適以下であることを意味する。プテリンと４−ピリドキシン酸は、３００〜１５０ｎｍ励起での希釈されていない健康なヒト尿の蛍光に大きく寄与している。４−ピリドキシン酸とプテリンは、塩基性培地と比較して、酸性培地(ｐＨ４〜７）で高い蛍光強度を持つ。したがって、これらのフルオロフォアは、希釈されていない正常なヒト尿のｐＨで最適な蛍光を示す。これは、健康なヒトの尿において量子収率がピークに達していないインドールフルオロフォアとは対照的である。尿の蛍光消光の全体像もより複雑です。アンモニウムに加えて、尿には他の既知の消光剤が含まれている。ヒト尿の２４時間サンプルには馬尿酸が含まれており、そのカルボキシル基は尿中のインドールフルオロフォアを消光することができる。これらのすべての効果は、本報告で説明する主な消光メカニズム、すなわち、インドキシル硫酸の自動消光、インドキシル硫酸によるトリプトファンおよび５−ヒドロキシインドールー３−アセテートの消光、およびアンモニウムによるインドールフルオロフォアの消光にさらに寄与する。）
（甲１ｍ）１２７５右欄　「４．Ｓｕｍｍａｒｙ」
「4. Summary
−中略− Our findings indicate that thekey factors contributing to the reduction of fluorescence observed in the undiluted healthy human urine samples excited in the shorter UV wavelength include high concentration of indoxyl sulfate contributing to the inner filter effect and the concentration quenching of fluorophores by ammonium. 」
（４．まとめ
−中略−
　我々の調査結果は、より短いＵＶ波長で励起された希釈されていない健康なヒト尿サンプルで観察される蛍光の減少に寄与する重要な要因には、内部フィルター効果に寄与する高濃度のインドキシル硫酸塩とアンモニウムによるフルオロフォアの濃度消光が含まれることを示している。）
ｂ　甲１に記載された発明
　図４（ｅ）及び図５（ｅ）のグラフにおいて、横軸は、
０〜３００μＭのインドキシル硫酸濃度
　以上の記載から、甲１には、以下の発明が記載されていると認められる（以下「甲１発明」という。）。
　なお、上記において、「ＥＥＭ」、「ＥＥＭマトリックス」、「励起／発光マトリックス」、「励起−発光マトリックス」は、表記が異なる同じことを意味しているので、以下「ＥＥＭ」に統一して表記する。また、複数の「測定」を区別するための表記として、括弧内の英数字を用いる。
「生物学的変動性にもかかわらず、希釈されていないヒト尿のスペクトル特性は、短いＵＶ（２５０〜３００ｎｍ）励起で比較的低い自己蛍光を示すが、希釈すると蛍光強度が著しく増加するという効果の背後にあるメカニズムを、ＥＥＭを使用して調べる方法であって、
（ａ）希釈されていない健康なサンプルのＥＥＭを測定し、
（ｂ）さまざまな希釈度（１：３０，１：３００，１：１０００）で健康なヒト尿のＥＥＭを測定し、
（ｃ１）インドキシル硫酸のＥＥＭを測定し、
また、（ｃ２）さまざまな濃度（０〜３００μＭ）のインドキシル硫酸の２８０ｎｍ／３８０ｎｍでのピーク蛍光強度を測定し、
（ｄ１）インドキシル硫酸（３００μｍｏｌ）、トリプトファン(５０μｍｏｌ)および５−ヒドロキシインドールー３−アセテート（２４μｍｏｌ）を含む「シミュレートされた尿」のＥＥＭを測定し、
また、（ｄ２）インドキシル硫酸濃度（０〜３００μＭ）の関数としての「シミュレートされた尿」の２８０ｎｍ／３８０ｎｍでの蛍光強度を測定し、
（ｅ）２８０ｎｍ励起でのトリプトファン(５０μｍｏｌ)、インドキシル硫酸（３００μｍｏｌ）および５−ヒドロキシインドールー３−アセテート（２４μｍｏｌ）を含む「シミュレートされた尿」にさまざまな量のアンモニウムを添加した際の蛍光スペクトルを測定する
　ことを含む方法。」
（イ）甲２の記載事項　
「Table 2
List of fluorophores in human urine which can be excited
Fluorophores　　　　　　　Excitation/emission maxima(nm)
5-Hydroxyindole-3-acetate    300/345-355
5-Hydroxytryptophan　　　　　295/340
indolyl-3-acetate　　　　　　290/360
indoxyl sulphate 　　　　　　290/380
Melatonin　　　　　　　　　　290/330
Skatol-5-sulphate　　　　　　290/380
Skatol-6-sulphate　　　　　　290/360,370
Tryptophan　　　　　　 　　　280/350　　　　　　　　　　　
（表２
２９０ｎｍで励起されるヒト尿中のフルオロフォアのリスト　　　　　　　
フルオロフォア　　　　　　　　　励起波長／発光波長（極大値）（ｎｍ）
５−ヒドロキシインドール−３−アセテート　　　３００／３４５−３５５
５−ヒドロキシトリプトファン　　　　　　　　　２９５／３４０
インドール−３−アセテート　　　　　　　　　　２９０／３６０
インドキシル硫酸　　　　　　　　　　　　　　　２９０／３８０
メラトニン　　　　　　　　　　　　　　　　　　２９０／３３０
スカトール−５−硫酸　　　　　　　　　　　　　２９０／３８０
スカトール−６−硫酸　　　　　　　　　　　　　２９０／３６０，３７０
トリプトファン　　　　　　　　　　　　　　　　２８０／３５０　　　
（ウ）甲３の記載事項
（甲３ａ）
「SUMMARY 
　The total fluorescence of human urine was measured atvarious excitation and emission wavelengths and is presented in 3-dimensional form. Despite the complexity of the composition of urine, 3-5 distinct fluorescence maxima can be observed. Effects of pH were studied and tentative assignments as to the species responsible for the peaks were made. Most likely,however, the peaks observed do not result from a single fluorescent urinary metabolite, but rather from several species having similar spectral properties and being present in comparable concentrations.」
（要約
　ヒトの尿の全蛍光は、さまざまな励起波長と血中波長で測定され、３次元形式で表示される。尿の組成は複雑であるが、３〜５個の異なる蛍光の最大値が観察される。ｐＨの影響を調査し、ピークの原因となる種に関する暫定的な割り当てを行った。しかし、おそらく、観察されたピークは単一の蛍光尿中代謝産物からではなく、同様のスペクトル特性を持ち、同等の濃度で存在するいくつかの種に起因する。）
（甲３ｂ）「Ｆｉｇ．２」に関する記載
「The total fluorescence was divided into three spectral regions. The first region comprises the u.v.-excitable fluorescence (Fig.2), covering the excitation wavelength range from 250 to 400 nm and dsplaying two broad peaks.」
（全ての蛍光は、３つのスペクトル領域に分割できる。第１の領域は、励起波長２５０〜４００ｎｍをカバーし、二つのブロードなピークを呈するＵＶ励起蛍光を含んでいる（図２）。）
（甲３ｃ）「Ｆｉｇ．２」の説明文
「Fig.2. Fluorescence topogram of the ultraviolet region for human urine. Contour lines from 5 to 95% (in 5% increments) of the highest peak. pH 7.00, dilution 1:1000.」
（図２．ヒト尿のＵＶ領域の蛍光トポロジー。最も高いピークから５％刻みで５〜９５％の等高線。ｐＨ７．０、１０００倍希釈）
（甲３ｄ）甲第３号証の１の第１８頁のＡｓｓｉｇｎｍｅｎｔ　ｏｆ　ｐｅａｋｓ及びＴＡＢＬＥ１
「The data show that indoxyl sulfate (urinary indicane)is most probably a major species responsible for peak 1; it is present rather high concentraition and its spectral maxima match the peak data best.」
（データは、インドキシル硫酸（「尿の指標」）が、ピーク１の原因となる最も可能性ある主要成分であることを示している。インドキシル硫酸はかなりの高濃度で存在するとともに、ピークのスペクトル極大波長に最も一致している。）
（甲３ｅ）
「TABLE 1
Fluorescent species in human urine that may contribute to the 290/380-nm peak, along with published excitation and emission maxima (at pH
 7.00), and approximate amount of daily excretion　　　　　　　
 Species　　　　　　Excitation/emission　　　Approx, daily       
　　　　　　　　　　maximaａ(nm)　　　　　　　excretionｂ(μmol)  
Indoxyl sulphate　　　　　　 290/380　 　　　300.0
Indolyl-3-acetate　　　　　　290/360　　　　　32.3
Skatol-5-sulphate　　　　　　290/370　　　　　11.0
Skatol-6-sulphate　　　　　　290/360,370　　　21.0
5-Hydroxyindole-3-acetate　　300/345-355　　　24.0
5-Hydroxytryptophan　　　　　295/340　　　　　　-　　　　　　　　
a Data from ref.2. b Data from ref.1.」
(表１
報告されている励起／発光波長（極大値) ( ｐＨ７．０)に基づく２９０／３８０ｎｍによるピークに寄与する可能性のあるヒト尿中の蛍光成分及びおおよその排泄量（日）
　　　　　　　　　　　　　　　　　　　　　　　　　　　　　　　　　
種類　　　　　　　　　　　励起波長／発光波長　　概算排泄量、日ｂ）
　　　　　　　　　　　　（極大値）ａ（ｎｍ）　　（μｍｏｌ）　　　
インドキシル硫酸　　　　　　　２９０／３８０　　　 ３００．０
インドール−３−アセテート　　２９０／３６０　　　   　３２．３
スカトール−５−硫酸　　　　　２９０／３７０　　　 　１１．０
スカトール−６−硫酸　　　　　２９０／３６０，３７０ ２１．０
５−ヒドロキシインドール−３−アセテート
　　　　　　　　　　　　　　　３００／３４５−３５５　２４．０
５−ヒドロキシトリプトファン　２９５／３４０　　　　　−　　　　
ａ文献２からのデータ、ｂ文献１からのデータ)
（エ）本件特許発明１と甲１発明との対比
ａ　「測定試料」及び「測定」について、
　「前記測定試料が尿の１００倍以上の希釈物であり、」「前記希釈物のインドキシル硫酸の濃度が１〜５．３μＭの範囲内であ」るとの構成から、本件特許発明１における「測定試料」は、尿の１００倍以上の希釈物であり、インドキシル硫酸の濃度が１〜５．３μＭの範囲内である。
　そして、本件特許発明１における「測定」とは、「測定試料の蛍光強度から、前記測定試料におけるインドキシル硫酸の濃度を算出すること」である。
　一方、甲１発明の「測定試料」及び「測定」について、
「（ａ）希釈されていない健康なサンプルのＥＥＭを測定」における測定試料は、「希釈されていない健康なサンプル」であるヒト尿であり、「尿の希釈物」ではなく、また、「測定」は、測定試料のＥＥＭを測定することであり、インドキシル硫酸の濃度を算出することではない。
「（ｂ）さまざまな希釈度（１：３０，１：３００，１：１０００）で健康なヒト尿のＥＥＭを測定」における測定試料は、ヒト尿を１：３０，１：３００，１：１０００に希釈した試料であり、本件特許発明１の「測定試料が尿の１００倍以上」と、尿の希釈物（１：３００，１：１０００）で共通する。しかし、「測定」は、測定試料のＥＥＭを測定することであり、インドキシル硫酸の濃度を算出することではない。
「（ｃ１）インドキシル硫酸のＥＥＭを測定」における測定試料は、インドキシル硫酸溶液であって、「尿」ではなく、また、「測定」は、測定試料のＥＥＭを測定することであり、インドキシル硫酸の濃度を算出することではない。
「（ｃ２）さまざまな濃度のインドキシル硫酸の２８０ｎｍ／３８０ｎｍでのピーク蛍光強度を測定」における測定試料は、インドキシル硫酸溶液であって、「尿」ではない。また、「測定」は、さまざまな濃度（０〜３００μＭ）のインドキシル硫酸の測定試料の蛍光強度を測定することであり、インドキシル硫酸の濃度を算出することではない。
「（ｄ１）インドキシル硫酸（３００μｍｏｌ）、トリプトファン(５０μｍｏｌ)および５−ヒドロキシインドール−３−アセテート（２４μｍｏｌ）を含む「シミュレートされた尿」のＥＥＭを測定」における測定試料は、「シミュレートされた尿」であって、「尿」ではない。また、「測定」は、測定試料のＥＥＭを測定することであり、インドキシル硫酸の濃度を算出することではない。
「（ｄ２）インドキシル硫酸濃度（０〜３００μＭ）の関数としての「シミュレートされた尿」の２８０ｎｍ／３８０ｎｍでの蛍光強度を測定」における、測定試料は、「シミュレートされた尿」であり、本件特許発明１の「尿」ではない。また、「シミュレートされた尿」は、インドキシル硫酸の他にトリプトファン(５０μｍｏｌ)および５−ヒドロキシインドールー３−アセテート（２４μｍｏｌ）を含むものであり、インドキシル硫酸濃度の関数としての「シミュレートされた尿」の２８０ｎｍ／３８０ｎｍでの蛍光強度の測定において、インドキシル硫酸以外の物質の濃度は変わらないので、１００倍以上の希釈物ともいえない。また、測定試料のインドキシル硫酸濃度は、甲１発明（ｄ２）では、０〜３００μＭの範囲である。
　「測定」は、さまざまな濃度のインドキシル硫酸を含む「シミュレートされた尿」の蛍光強度を測定することであり、インドキシル硫酸の濃度を算出することではない。
　ただ、測定試料について、甲１発明（ｄ２）と本件特許発明１とは、「インドキシル硫酸以外に、尿中に含まれる成分を含み、インドキシル硫酸の濃度に関連した蛍光強度を測定するための試料」である点で共通する。
「（ｅ）２８０ｎｍ励起でのトリプトファン(５０μｍｏｌ)、インドキシル硫酸（３００μｍｏｌ）および５−ヒドロキシインドール−３−アセテート（２４μｍｏｌ）を含む「シミュレートされた尿」にさまざまな量のアンモニウムを添加した際の蛍光スペクトルを測定」における、測定試料は、「シミュレートされた尿」であり、「尿」ではない。また、「測定」は、さまざまな量のアンモニウムを添加した際の蛍光スペクトルを測定することであり、インドキシル硫酸の濃度を算出することではない。
ｂ　蛍光強度を求める際の励起波長と発光波長について
　本件特許発明１においては、「励起波長を２６０〜３００ｎｍの範囲から選択し、発光波長を、選択した励起波長よりも８０〜１８０ｎｍ大きい波長」である。
　甲１発明の（ａ）（ｂ）（ｃ１）（ｄ１）の測定においては、ＥＥＭ（励起／発光マトリックス）を測定することから、励起波長は一つに選択されるものではなく、所定の範囲をスキャンし、発光波長も所定の範囲にわたって検出するものである。
　甲１発明の（ｃ２）（ｄ２）の測定においては、「２８０ｎｍ／３８０ｎｍでのピーク蛍光強度を測定」するものであり、本件特許発明１と甲１発明の励起波長と発光波長は、２８０ｎｍ／３８０ｎｍで共通する。
ｃ　一致点
　よって、甲１発明の中で、本件特許発明１と共通点の多い（ｄ２）の測定を対比の対象とすると、本件特許発明１と甲１発明とは、以下の点で一致する。
「インドキシル硫酸以外に、尿中に含まれる成分を含み、インドキシル硫酸の濃度に関連した蛍光強度を測定する方法であって、
　励起波長と発光波長は、２８０ｎｍ／３８０ｎｍである
　方法。」
ｄ　相違点
　本件特許発明１と甲１発明とは、以下の点で相違する。
　本件特許発明１は、測定試料が、「尿の１００倍以上の希釈物」であり、「インドキシル硫酸の濃度が１〜５．３μＭの範囲内」であり、測定は、「測定試料の蛍光強度から、前記測定試料におけるインドキシル硫酸の濃度を算出する」ことであるのに対し、
　甲１発明は、測定試料が、インドキシル硫酸濃度が０〜３００μＭである「シミュレートされた尿」であり、測定が、測定試料の蛍光強度を測定することに留まり、インドキシル硫酸の濃度を算出していない点。
（オ）判断
　甲１は、タイトルのとおり「ヒト尿の自己蛍光へのインドキシル硫酸及びアンモニウムの影響」について研究結果を開示した文献であり、甲１発明は、「（ｄ２）インドキシル硫酸濃度（０〜３００μＭ）の関数としての「シミュレートされた尿」の２８０ｎｍ／３８０ｎｍでの蛍光強度を測定」することを含むが、甲１には、「純粋なインドキシル硫酸の場合と同様に、内部フィルター効果を補正する前後の「シミュレートされた尿」のピーク蛍光強度の濃度傾向を観察することにより、濃度消光が確認された（図５ｅ）。」（上記（甲１ｊ）参照。）と記載されているように、（ｄ２）の測定によって、インドキシル硫酸の影響として濃度消光が確認されるだけで、蛍光強度を測定してインドキシル硫酸の濃度を算出する動機付けはない。
　また、甲２，甲３にも、蛍光強度を測定してインドキシル硫酸の濃度を算出する記載や示唆はない。
　してみると、本件特許発明１は、甲１発明と、「測定試料の蛍光強度から、前記測定試料におけるインドキシル硫酸の濃度を算出する」ことを含む相違点を実質的に有するから、本件特許発明１は、甲１発明ではない。
　また、本件特許発明１は、甲１発明、甲１に記載された事項、甲２、甲３に記載された事項から、当業者が容易に想到し得たとはいえない。
　なお、申立人は、「甲第１号証に開示される尿中のインドキシル硫酸の蛍光プロファイルは、十分に当業者に当該プロファイルを用いた定量法の着想させるものであり、甲第１号証に記載された手法をそのまま利用して尿希釈物について得られた蛍光強度を、検量線用いてインドキシル硫酸濃度を算出して従来法としてＨＰＬＣ法の測定値を比較することに、進歩性はない」（意見書第９頁第３行〜第７行参照。）と主張しているので、甲１に記載されたインドキシル硫酸の蛍光プロファイルを示す図４（ｅ）、図５（ｅ）についてさらに検討する。
　甲１発明の「（ｃ２）さまざまな濃度（０〜３００μＭ）のインドキシル硫酸の２８０ｎｍ／３８０ｎｍでのピーク蛍光強度を測定」及び「（ｄ２）インドキシル硫酸濃度（０〜３００μＭ）の関数としての「シミュレートされた尿」の２８０ｎｍ／３８０ｎｍでの蛍光強度を測定」によって得られた結果が、それぞれ、甲１の図４（ｅ）、図５（ｅ）に記載されている。
　図４（ｅ）において、測定試料は、インドキシル硫酸の溶液であり、横軸は、インドキシル硫酸濃度０〜３００μＭであり、内部フィルター効果補正後の山なりの曲線のピークは、１００μＭ付近で蛍光強度が約１．０×１０６であり、
　図５（ｅ）において、測定試料は、「シミュレートされた尿」であり、横軸は、インドキシル硫酸濃度０〜３００μＭであり、内部フィルター効果補正後の山なりの曲線のピークは、７０μＭ付近で蛍光強度が約５×１０５である。
　どちらも山なりの曲線である点で共通するものの、図４（ｅ）と図５（ｅ）の蛍光プロファイルは、ピークとなる濃度が１００μＭと７０μＭと異なり、蛍光強度が約１．０×１０６から約５×１０５へと約半分となっている。
　さらにヒト尿は、図５（ｅ）の「シミュレートされた尿」に加えアンモニウムの影響を受けるものであり、その影響もアンモニウムの濃度によって変化するものである（上記（甲１ｌ）「図６は、予想通り、希釈によりアンモニウムによる「シミュレートされた尿」の消光が減少することを示した。」、「この研究からの全体的な結論は、健康な人間の尿中の重要なインドールフルオロフォアはアンモニウムの存在によって消光されるということです。」参照。）。
　インドキシル硫酸の濃度を直接蛍光法で測定するにあたっては、インドキシル硫酸濃度と蛍光強度の対応関係を把握しておく必要があるが、甲１の図４（ｅ）（インドキシル硫酸の溶液）と、図５（ｅ）（「シミュレートされた尿」）に示されるように、インドキシル硫酸濃度に対して蛍光強度が山なりに変化することから、ピークの濃度を除き、一つの蛍光強度から２つの濃度が対応してしまい、一つの濃度を導くことはできない。
　よって、図４（ｅ）、図５（ｅ）に記載された蛍光プロファイルは、十分に当業者に当該プロファイルを用いた定量法の着想をさせるものであるとはいえない。
　また、申立人から、山なりの蛍光強度（蛍光プロファイル）から、山の片側に対応する濃度範囲だけを利用して検量線を求めることが周知であることを示す証拠は提出されていないが、仮に、濃度範囲を山の片側に対応する範囲に絞って検量線を求めることが、蛍光強度を測定する分野において周知であったとしても、ヒト尿は、「シミュレートされた尿」に加え少なくともアンモニウムが含まれており、さらにアンモニウムの濃度によって蛍光強度が変化するという知見を加味すると、ピークとなる濃度やピークの蛍光強度が図５（ｅ）（「シミュレートされた尿」）に示されたとおりになるとは限らず、濃度範囲を山の片側に対応する濃度範囲をどの範囲にすればよいのか不明であり、甲１の記載事項から検量線を求めることはできない。
　してみると、仮に周知とする事項を考慮したとしても、「測定試料」を尿の１００倍以上の希釈物であり、インドキシル硫酸の濃度が１〜５．３μＭの範囲内とし、前記測定試料におけるインドキシル硫酸の濃度を算出することを、当業者が容易に想到し得たとはいえない。
　以上のとおりであるから、本件特許発明１は、甲１発明、甲１に記載された事項及び甲２，甲３に記載された事項から当業者が容易に想到し得たとはいえない。
イ　本件特許発明２ないし４について
　本件特許発明２ないし４は、本件特許発明１の構成を全て含みさらに限定をした発明であるから、甲１発明とは、上記相違点を実質的に有するものである。よって、本件特許発明２ないし４は、甲１発明ではない。
　また、相違点についての判断は、上記アのとおりであるから、本件特許発明２ないし４は、甲１発明、甲１に記載された事項及び甲２，甲３に記載された事項から当業者が容易に想到し得たとはいえない。
ウ  申立人の意見書における進歩性に関する主張について
　申立人は、令和２年２月２０日付けの意見書において、「したがって、甲第１号証に接した当業者であれば、ある程度の定量性を期待して、インドキシル硫酸濃度として３０μＭ以下になるように十分に希釈した尿につき、励起波長２８０ｎｍ及び発光波長を３８０ｎｍとして直接蛍光法により蛍光強度を測定してインドキシル硫酸濃度を算出し、定量性を評価することは当然試みる事項である。」（意見書第７頁〜９頁「（４）理由３」参照。）と主張している。
　しかしながら、上記ア、イのとおり、本件特許発明１〜４は、甲１発明から当業者が容易に想到することはできないものである。仮に、上記申立人の主張を採用したとしても、インドキシル硫酸濃度として０〜３０μＭに希釈した尿とすることに留まり、それよりも約７分の１の範囲の「１〜５．３μＭ」という限定された範囲に希釈した尿にすることにはならない。
　よって、上記申立人の主張は、採用できない。
４　申立人の意見書における追加的主張について
　申立人は、令和２年２月２０日付けの意見書において、「本件特許発明１では、励起波長を２６０〜３００ｎｍの範囲から選択するものであるところ、この励起波長の選択範囲に対応する発光波長の範囲は、３４０ｎｍ（２６０＋８０ｎｍ）から４８０ｎｍ（３００＋１８０ｎｍ）となる。このような広い範囲でＨＰＬＣ法との実質的に対応関係のある実測値を直接蛍光法で算出できるとは、当業者は到底理解できない。」（意見書第４〜６頁（２）理由１（ｃ−２）参照。）「上記励起波長範囲及び上記発光波長範囲の蛍光強度を測定したとき、インドキシル硫酸の濃度を算出することができることは記載されておらず、当該範囲にわたってインドキシル硫酸濃度を算出できるかどうかは不明である。」（意見証第６〜７頁「（３）理由２」参照。）と主張する（なお、上記励起波長範囲及び上記発光波長範囲の蛍光強度を測定したとき、インドキシル硫酸の濃度を算出することができないことを示す「実験成績証明書」などについては申立人から提出されなかった。）。
　申立人の上記「励起波長範囲」及び「発光波長範囲」についての追加的主張は、特許異議申立書に記載されていたものではなく、また、訂正によって生じたものでもない。
　よって、必ずしも検討すべき主張ではないが、以下補足的に検討する。
　本件特許明細書には、以下の記載がある。
「【００２６】
　好ましくは、励起波長を２６０〜３００ｎｍの範囲から選択し、発光波長を、選択した励起波長よりも８０〜１８０ｎｍ大きい波長とする。励起波長と発光波長をこれらの範囲から選択することにより、ＨＰＬＣ法とのより高い相関関係が保たれ、体液中インドキシル硫酸をより正確に測定することができる。
−中略−
　【００２９】
　好ましい励起波長と発光波長の具体的な組み合わせを、以下に挙げる。
−中略−
　【００３１】
・励起波長：２６０ｎｍ／発光波長３４０〜４４０ｎｍ
・励起波長：２７０ｎｍ／発光波長３５０〜４５０ｎｍ
・励起波長：２８０ｎｍ／発光波長３６０〜４６０ｎｍ
・励起波長：２９０ｎｍ／発光波長３７０〜４７０ｎｍ
・励起波長：３００ｎｍ／発光波長３８０〜４８０ｎｍ」
　以上のとおり、本件特許明細書の発明の詳細な説明には、「励起波長と発光波長をこれらの範囲から選択することにより、ＨＰＬＣ法とのより高い相関関係が保たれ、体液中インドキシル硫酸をより正確に
測定することができる
　よって、上記申立人の主張は、採用できない。
第４　まとめ
　以上のとおりであるから、取消理由通知に記載した取消理由又は特許異議申立書に記載された特許異議申立理由によっては、本件特許発明１ないし４に係る特許を取り消すことはできない。
　また、他に本件特許発明１ないし４に係る特許を取り消すべき理由を発見しない。
　さらに、請求項５に係る特許は、上記のとおり、訂正により削除された。これにより、申立人による特許異議の申立てについて、請求項５に係る申立ては、申立ての対象が存在しないものとなったため、特許法第１２０条の８第１項で準用する同法第１３５条の規定により却下する。
　よって、結論のとおり決定する。
【異議決定日】
令和２年３月１３日（２０２０．３．１３）
【訂正の要旨】
審決（決定）の【理由】欄参照。
（５７）【特許請求の範囲】
　【請求項１】
　尿
の希釈物
　前記測定試料
が尿
１００倍以上の
　
前記希釈物のインドキシル硫酸の濃度が１〜５．３μＭの範囲内であり、
　励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出することを特徴とするインドキシル硫酸の測定方法。
　【請求項２】
　前記発光波長を３８０〜４２０ｎｍの範囲から選択することを特徴とする請求項１に記載のインドキシル硫酸の測定方法。
　【請求項３】
　前記励起波長を２７０〜２９０ｎｍの範囲から選択し、前記発光波長を３９０〜４１０ｎｍの範囲から選択することを特徴とする請求項１又は２に記載のインドキシル硫酸の測定方法。
　【請求項４】
　前記励起波長を２７０〜２９０ｎｍの範囲から選択し、前記発光波長を４００〜４２０ｎｍの範囲から選択することを特徴とする請求項１又は２に記載のインドキシル硫酸の測定方法。
　【請求項５】（削除）